(57)【特許請求の範囲】
【請求項１】
共線図上に配置される回転メンバとして複数個の回転メンバを有し、これら回転メンバのうち２個のメンバの回転状態を決定すると他のメンバの回転状態が決まる２自由度の差動装置を具え、前記回転メンバのうち、共線図上の内側に位置する２個の回転メンバの一方に主動力源からの入力、他方に駆動系への出力をそれぞれ結合し、共線図上の外側に位置する２個の回転メンバにそれぞれ２個のモータ／ジェネレータを結合し、共線図上において、前記出力を結合した回転メンバと、共線図上で該出力に近い出力側モータ／ジェネレータを結合した回転メンバとの間における回転メンバにローブレーキを結合し、このローブレーキを締結した状態で前記主動力源からの動力および両モータ／ジェネレータからの動力を用い前記出力への動力を決定するEIVT-LBモードと、前記ローブレーキを解放した状態で前記主動力源からの動力および両モータ／ジェネレータからの動力を用い前記出力への動力を決定するEIVTモードとを有し、これらEIVT-LBモードおよびEIVTモード間の切り替えを、要求駆動力、車速、およびバッテリ蓄電状態に応じたローブレーキの締結・解放切り替えにより行うようにしたハイブリッド変速機において、
前記EIVT-LBモードおよびEIVTモードのうち、充放電量により表されるバッテリ充電量が大きい方のモードを選択することにより、前記要求駆動力、車速、およびバッテリ蓄電状態により規定される動作点ごとに燃料消費率ができるだけ低くなるよう前記EIVT-LBモードおよびEIVTモード間での切り替えを行わせ、
EIVT-LBモードでのバッテリ消費電力およびEIVTモードでのバッテリ消費電力間における消費電力差が設定値未満となる領域を任意領域に設定し、該任意領域においては全体的にEIVT-LBモードまたはEIVTモードで動作させるよう構成したことを特徴とするハイブリッド変速機の変速制御装置。
【請求項２】
請求項１に記載のハイブリッド変速機の変速制御装置において、前記任意領域でのモード選択を、前記要求駆動力、車速、およびバッテリ蓄電状態により規定される動作点が任意領域に入る直前におけるモードに応じて決定し、
(a)直前動作点でのモードが前記ローブレーキの締結を要求するモードである場合、任意領域でEIVT-LBモードを選択するようにし、
(b)直前動作点でのモードが前記ローブレーキの解放を要求するモードである場合、任意領域でEIVTモードを選択するよう構成したことを特徴とするハイブリッド変速機の変速制御装置。
【請求項３】
請求項１に記載のハイブリッド変速機の変速制御装置において、前記任意領域でのモード選択を、前記要求駆動力、車速、およびバッテリ蓄電状態により規定される動作点が任意領域に入る直前におけるモード、および、前記動作点が任意領域に入ってからの任意領域継続時間に応じて決定し、
(a)直前動作点でのモードが前記ローブレーキの締結を要求するモードである場合、任意領域でEIVT-LBモードを選択するようにし、
(b)直前動作点でのモードが前記ローブレーキの解放を要求するモードである場合、任意領域でEIVTモードを選択するようにし、
前記任意領域継続時間が設定時間以上になるとき、上記(a)または(b)により選択したモードから好適モードマップにより求めたEIVT-LBモードまたはEIVTモードに切り替えるよう構成したことを特徴とするハイブリッド変速機の変速制御装置。
【請求項４】
共線図上に配置される回転メンバとして複数個の回転メンバを有し、これら回転メンバのうち２個のメンバの回転状態を決定すると他のメンバの回転状態が決まる２自由度の差動装置を具え、前記回転メンバのうち、共線図上の内側に位置する２個の回転メンバの一方に主動力源からの入力、他方に駆動系への出力をそれぞれ結合し、共線図上の外側に位置する２個の回転メンバにそれぞれ２個のモータ／ジェネレータを結合し、共線図上において、前記出力を結合した回転メンバと、共線図上で該出力に近い出力側モータ／ジェネレータを結合した回転メンバとの間における回転メンバにローブレーキを結合し、このローブレーキを締結した状態で前記両モータ／ジェネレータからの動力のみを用い前記出力への動力を決定するEV-LBモードと、前記ローブレーキを解放した状態で前記両モータ／ジェネレータからの動力のみを用い前記出力への動力を決定するEVモードとを有し、これらEV-LBモードおよびEVモード間の切り替えを、要求駆動力、車速、およびバッテリ蓄電状態に応じたローブレーキの締結・解放切り替えにより行うようにしたハイブリッド変速機において、
前記EV-LBモードおよびEVモードのうち、充放電量により表されるバッテリ充電量が大きい方のモードを選択することにより、前記要求駆動力、車速、およびバッテリ蓄電状態により規定される動作点ごとに燃料消費率ができるだけ低くなるよう前記EV-LBモードおよびEVモード間での切り替えを行わせ、
EV-LBモードでのバッテリ消費電力およびEVモードでのバッテリ消費電力間における消費電力差が設定値未満となる領域を任意領域に設定し、該任意領域においては全体的にEV-LBモードまたはEVモードで動作させるよう構成したことを特徴とするハイブリッド変速機の変速制御装置。
【請求項５】
請求項４に記載のハイブリッド変速機の変速制御装置において、前記任意領域でのモード選択を、前記要求駆動力、車速、およびバッテリ蓄電状態により規定される動作点が任意領域に入る直前におけるモードに応じて決定し、
(a)直前動作点でのモードが前記ローブレーキの締結を要求するモードである場合、任意領域でEV-LBモードを選択するようにし、
(b)直前動作点でのモードが前記ローブレーキの解放を要求するモードである場合、任意領域でEVモードを選択するよう構成したことを特徴とするハイブリッド変速機の変速制御装置。
【請求項６】
請求項４に記載のハイブリッド変速機の変速制御装置において、前記任意領域でのモード選択を、前記要求駆動力、車速、およびバッテリ蓄電状態により規定される動作点が任意領域に入る直前におけるモード、および、前記動作点が任意領域に入ってからの任意領域継続時間に応じて決定し、
(a)直前動作点でのモードが前記ローブレーキの締結を要求するモードである場合、任意領域でEV-LBモードを選択するようにし、
(b)直前動作点でのモードが前記ローブレーキの解放を要求するモードである場合、任意領域でEVモードを選択するようにし、
前記任意領域継続時間が設定時間以上になるとき、上記(a)または(b)により選択したモードから好適モードマップにより求めたEV-LBモードまたはEVモードに切り替えるよう構成したことを特徴とするハイブリッド変速機の変速制御装置。
【請求項７】
共線図上に配置される回転メンバとして複数個の回転メンバを有し、これら回転メンバのうち２個のメンバの回転状態を決定すると他のメンバの回転状態が決まる２自由度の差動装置を具え、前記回転メンバのうち、共線図上の内側に位置する２個の回転メンバの一方に主動力源からの入力、他方に駆動系への出力をそれぞれ結合し、共線図上の外側に位置する２個の回転メンバにそれぞれ２個のモータ／ジェネレータを結合し、共線図上において、前記出力を結合した回転メンバと、共線図上で該出力に近い出力側モータ／ジェネレータを結合した回転メンバとの間における回転メンバにローブレーキを結合し、このローブレーキを締結した状態で前記両モータ／ジェネレータからの動力のみを用い前記出力への動力を決定するEV-LBモードと、前記ローブレーキを解放した状態で前記両モータ／ジェネレータからの動力のみを用い前記出力への動力を決定するEVモードと、前記ローブレーキを解放した状態で前記主動力源からの動力および両モータ／ジェネレータからの動力を用い前記出力への動力を決定するEIVTモードとを有し、これらEV-LBモード、EVモード、およびEIVTモード間の切り替えを、要求駆動力、車速、およびバッテリ蓄電状態に応じたローブレーキの締結・解放および主動力源からの入力の断接切り替えにより行うようにしたハイブリッド変速機において、
前記EV-LBモード、EVモード、およびEIVTモードのうち、充放電量により表されるバッテリ充電量が大きいモードを選択することにより、前記要求駆動力、車速、およびバッテリ蓄電状態により規定される動作点ごとに燃料消費率ができるだけ低くなるよう前記EV-LBモード、EVモード、およびEIVTモード間での切り替えを行わせ、
EV-LBモードでのバッテリ消費電力およびEVモードでのバッテリ消費電力間における消費電力差、EV-LBモードでのバッテリ消費電力およびEIVTモードでのバッテリ消費電力間における消費電力差、並びに、EVモードでのバッテリ消費電力およびEIVTモードでのバッテリ消費電力間における消費電力差が設定値未満となる領域を任意領域に設定し、該任意領域においては全体的にEV-LBモードまたはEVモード或いはEIVTモードで動作させるよう構成したことを特徴とするハイブリッド変速機の変速制御装置。
【請求項８】
請求項７に記載のハイブリッド変速機の変速制御装置において、前記任意領域でのモード選択を、前記要求駆動力、車速、およびバッテリ蓄電状態により規定される動作点が任意領域に入る直前におけるモードに応じて決定し、
(a)直前動作点でのモードが前記ローブレーキの締結を要求するモードである場合、任意領域でEV-LBモードを選択するようにし、
(b)直前動作点でのモードが前記ローブレーキの解放を要求するEIVTモードである場合、任意領域でEIVTモードを選択するようようにし、
(c)直前動作点でのモードが前記ローブレーキの解放を要求するEVモードである場合、任意領域でEVモードを選択するようよう構成したことを特徴とするハイブリッド変速機の変速制御装置。
【請求項９】
請求項７に記載のハイブリッド変速機の変速制御装置において、前記任意領域でのモード選択を、前記要求駆動力、車速、およびバッテリ蓄電状態により規定される動作点が任意領域に入る直前におけるモード、および、前記動作点が任意領域に入ってからの任意領域継続時間に応じて決定し、
(a)直前動作点でのモードが前記ローブレーキの締結を要求するモードである場合、任意領域でEV-LBモードを選択するようにし、
(b)直前動作点でのモードが前記ローブレーキの解放を要求するEIVTモードである場合、任意領域でEIVTモードを選択するようにし、
(c)直前動作点でのモードが前記ローブレーキの解放を要求するEVモードである場合、任意領域でEVモードを選択するようようにし、
前記任意領域継続時間が設定時間以上になるとき、上記(a)または(b)或いは(c)により選択したモードから好適モードマップにより求めたEV-LBモードまたはEVモードに切り替えるよう構成したことを特徴とするハイブリッド変速機の変速制御装置。
【請求項１０】
請求項１乃至９に記載のハイブリッド変速機の変速制御装置において、前記任意領域を前記要求駆動力、車速、およびバッテリ蓄電状態に関する三次元座標上に規定したことを特徴とするハイブリッド変速機の変速制御装置。
【発明の詳細な説明】
【０００１】
【発明の属する技術分野】
本発明は、エンジン等の主動力源とモータ／ジェネレータとを搭載したハイブリッド車両に有用なハイブリッド変速機、特に、これら主動力源とモータ／ジェネレータとの間における差動装置により無段変速動作を行わせることが可能なハイブリッド変速機の変速制御装置に関するものである。
【０００２】
【従来の技術】
この種ハイブリッド変速機としては、例えば特許文献１に記載のように、遊星歯車組により構成した２自由度の差動装置を具え、該差動装置における回転メンバにそれぞれ主動力源であるエンジンからの入力、駆動系への出力、および２個のモータ／ジェネレータを結合して無段変速を可能とし、更に、所定の回転メンバをローブレーキにより適宜固定可能として駆動力発生源である主動力源やモータ/ジェネレータからのトルクを増幅し得るようにしたものが知られている。
【０００３】
【特許文献１】
特開２０００−０９４９７３号公報
【０００４】
このようなハイブリッド変速機においては、主動力源からの動力を用いず両モータ/ジェネレータからの動力のみにより駆動系への出力を決定するEVモードと、ローブレーキを締結した状態で両モータ/ジェネレータからの動力のみにより駆動系への出力を決定するEV-LBモードと、主動力源からの動力および両モータ/ジェネレータからの動力により駆動系への出力を決定するEIVTモードと、ローブレーキを締結した状態で主動力源からの動力および両モータ/ジェネレータからの動力により駆動系への出力を決定するEIVT-LBモードとの４動作モードが考えられる。
【０００５】
各動作モードは、全ての領域で有用であるという訳ではなく、要求特性に応じて各々得意な領域があり、図１９に示すような車速VSP、要求駆動力Ｆ（車速VSPおよびアクセルペダル踏み込み量APOから求め得る）、およびモータ/ジェネレータ用バッテリの蓄電状態SOC（持ち出し可能電力）の三次元座標上に得意な領域が定められる。
図１９において動作点Ｐは、車速VSP＝VSPx、要求駆動力Ｆ＝Fx、およびバッテリ蓄電状態SOC＝SOCxの組み合わせとして表される。
或る要求特性に関し上記各モードごとの得意な領域を、或るバッテリ蓄電状態SOC＝SOCxの時について例示すると、EIVT-LBモード領域は車速VSPおよび要求駆動力Fの二次元座標上に図２０のごとくに示され、EIVTモード領域は車速VSPおよび要求駆動力Fの二次元座標上に図２１のごとくに表され、EV-LBモード領域は車速VSPおよび要求駆動力Fの二次元座標上に図２２のごとくに表され、EVモード領域は車速VSPおよび要求駆動力Fの二次元座標上に図２３のごとくに表される。
【０００６】
【発明が解決しようとする課題】
ところで燃料消費を低くするための各モードの得意な領域は、バッテリ蓄電状態SOC（持ち出し可能電力）が低い場合と、中程度の場合と、高い場合とについて例示すると図２９、図３０、および図３１に示すごとくになる。
しかし、これらの低燃費用のモード領域線図が正しいとしても、モード領域が狭くなる箇所においては、車速VSP、要求駆動力Ｆ、およびバッテリ蓄電状態SOC（持ち出し可能電力）の三次元座標上の動作点が僅かに移動しただけでモードの切り替えが発生し、制御のハンチングによりモード選択制御が困難になる。
【０００７】
本発明は、或るモード間で（例えば、EIVTモードおよびEV-LBモード間で）どちらのモードを選択しても、燃料消費を低くするという意味において大差がない領域が存在するとの事実認識に基づきこの領域を任意領域とし、これらの任意領域ではローブレーキの締結・解放切り替えや、主動力源からの入力の断接切り替え頻度が少なくなるようなモード選択方式とすることで、上記したモード切り替え制御が困難になるという問題を解消したハイブリッド変速機の変速制御装置を提案することを目的とする。
【０００８】
【課題を解決するための手段】
この目的のため本発明によるハイブリッド変速機の変速制御装置は、請求項１に記載のごとくに構成する。
ハイブリッド変速機は、２自由度の差動装置を構成する回転メンバのうち、共線図上の内側に位置する２個の回転メンバの一方に主動力源からの入力、他方に駆動系への出力をそれぞれ結合し、共線図上の外側に位置する２個の回転メンバにそれぞれ２個のモータ／ジェネレータを結合する。
そして、共線図上において、上記出力を結合した回転メンバと、共線図上で該出力に近い出力側のモータ／ジェネレータを結合した回転メンバとの間における回転メンバにローブレーキを結合する。
【０００９】
ハイブリッド変速機の変速制御装置は、このローブレーキを締結した状態で主動力源からの動力および両モータ／ジェネレータからの動力を用い上記出力への動力を決定するEIVT-LBモードと、ローブレーキを解放した状態で主動力源からの動力および両モータ／ジェネレータからの動力を用い上記出力への動力を決定するEIVTモードとを有するが、
これらEIVT-LBモードおよびEIVTモード間の切り替えを、要求駆動力、車速、およびバッテリ蓄電状態に応じたローブレーキの締結・解放切り替えにより以下のごとくに行う。
【００１０】
つまり、EIVT-LBモードおよびEIVTモードのうち、バッテリ充電量が大きい方のモードを選択することにより、要求駆動力、車速、およびバッテリ蓄電状態により規定される動作点ごとに燃料消費率ができるだけ低くなるようEIVT-LBモードおよびEIVTモード間での切り替えを行わせ、
EIVT-LBモードでのバッテリ消費電力およびEIVTモードでのバッテリ消費電力間における消費電力差が設定値未満となる領域を任意領域に設定し、この任意領域においては全体的にEIVT-LBモードまたはEIVTモードで動作させるよう構成する。
【００１１】
また本発明によるハイブリッド変速機の変速制御装置は、請求項４に記載のごとくに構成する。
先ずハイブリッド変速機は、前記ローブレーキを締結した状態で前記両モータ／ジェネレータからの動力のみを用い前記出力への動力を決定するEV-LBモードと、ローブレーキを解放した状態で両モータ／ジェネレータからの動力のみを用い前記出力への動力を決定するEVモードとを有するが
これらEV-LBモードおよびEVモード間の切り替えを、要求駆動力、車速、およびバッテリ蓄電状態に応じたローブレーキの締結・解放切り替えにより以下のごとくに行う。
【００１２】
つまり、EV-LBモードおよびEVモードのうち、バッテリ充電量が大きい方のモードを選択することにより、要求駆動力、車速、およびバッテリ蓄電状態により規定される動作点ごとに燃料消費率ができるだけ低くなるようEV-LBモードおよびEVモード間での切り替えを行わせ、
EV-LBモードでのバッテリ消費電力およびEVモードでのバッテリ消費電力間における消費電力差が設定値未満となる領域を任意領域に設定し、この任意領域においては全体的にEV-LBモードまたはEVモードで動作させるよう構成する。
【００１３】
更に本発明によるハイブリッド変速機の変速制御装置は、請求項７に記載のごとくに構成する。
先ずハイブリッド変速機は、前記EV-LBモード、EVモード、およびEIVTモードを有し、これらEV-LBモード、EVモード、およびEIVTモード間の切り替えを、要求駆動力、車速、およびバッテリ蓄電状態に応じたローブレーキの締結・解放および主動力源からの入力の断接切り替えにより以下のごとくに行う。
【００１４】
つまり、EV-LBモード、EVモード、およびEIVTモードのうち、バッテリ充電量が大きいモードを選択することにより、要求駆動力、車速、およびバッテリ蓄電状態により規定される動作点ごとに燃料消費率ができるだけ低くなるようEV-LBモード、EVモード、およびEIVTモード間での切り替えを行わせ、
EV-LBモードでのバッテリ消費電力およびEVモードでのバッテリ消費電力間における消費電力差、EV-LBモードでのバッテリ消費電力およびEIVTモードでのバッテリ消費電力間における消費電力差、並びに、EVモードでのバッテリ消費電力およびEIVTモードでのバッテリ消費電力間における消費電力差が設定値未満となる領域を任意領域に設定し、これら任意領域においては全体的にEV-LBモードまたはEVモード或いはEIVTモードで動作させるよう構成する。
【００１５】
【発明の効果】
請求項１に記載の変速制御装置によれば、動作点ごとに燃料消費率ができるだけ低くなるようEIVT-LBモードおよびEIVTモード間の切り替えを行うことから、当該モード切り替えが燃料消費率をできるだけ小さくする態様で行われることとなり、主動力源の燃費を良くすることができる。
また、EIVT-LBモードでのバッテリ消費電力およびEIVTモードでのバッテリ消費電力間における消費電力差が設定値未満となる領域（任意領域）においては全体的にEIVT-LBモードまたはEIVTモードで動作させることから、
EIVT-LBモードまたはEIVTモードのどちらを選択しても、燃料消費を低くするという意味において大差がない領域（任意領域）でローブレーキの締結・解放切り替え頻度が少なくなるようなモード選択方式とすることができ、前記した狭いモード領域においてもモード切り替え制御が困難になることがなく前記の問題を解消することができる。
【００１６】
また請求項４に記載の変速制御装置によれば、動作点ごとに燃料消費率ができるだけ低くなるようEV-LBモードおよびEVモード間での切り替えを行うことから、
当該モード切り替えが燃料消費率をできるだけ小さくする態様で行われることとなり、主動力源の燃費を良くすることができる。
また、EV-LBモードでのバッテリ消費電力およびEVモードでのバッテリ消費電力間における消費電力差が設定値未満となる領域（任意領域）においては全体的にEV-LBモードまたはEVモードで動作させることから、
EV-LBモードまたはEVモードのどちらを選択しても、燃料消費を低くするという意味において大差がない領域（任意領域）でローブレーキの締結・解放切り替え頻度が少なくなるようなモード選択方式とすることができ、前記した狭いモード領域においてもモード切り替え制御が困難になることがなく前記の問題を解消することができる。
【００１７】
更に請求項７に記載の変速制御装置によれば、動作点ごとに燃料消費率ができるだけ低くなるようEV-LBモード、EVモード、およびEIVTモード間での切り替えを行うことから、
当該モード切り替えが燃料消費率をできるだけ小さくする態様で行われることとなり、主動力源の燃費を良くすることができる。
また、EV-LBモードでのバッテリ消費電力およびEVモードでのバッテリ消費電力間における消費電力差、EV-LBモードでのバッテリ消費電力およびEIVTモードでのバッテリ消費電力間における消費電力差、並びに、EVモードでのバッテリ消費電力およびEIVTモードでのバッテリ消費電力間における消費電力差が設定値未満となる領域（任意領域）においては全体的にEV-LBモードまたはEVモード或いはEIVTモードで動作させることから、
EV-LBモード、EVモード、EIVTモードのどれを選択しても、燃料消費を低くするという意味において大差がない領域（任意領域）でローブレーキの締結・解放切り替え、および主動力源からの入力の断接切り替えの頻度が少なくなるようなモード選択方式とすることができ、前記した狭いモード領域においてもモード切り替え制御が困難になることがなく前記の問題を解消することができる。
【００１８】
【発明の実施の形態】
以下、本発明の実施の形態を図面に基づき詳細に説明する。
図１（ａ）は、本発明の一実施の形態になる変速制御装置を適用可能なハイブリッド変速機を例示し、これを本実施の形態においては前輪駆動車（ＦＦ車）用のトランスアクスルとして構成する。
図において１は変速機ケースを示し、該変速機ケース１の軸線方向（図の左右方向）左側にラビニョオ型プラネタリギヤセット２を、また図の右側に複合電流２層モータ３を内蔵させる。
ラビニョオ型プラネタリギヤセット２の更に左側には、変速機ケース１の外側であるが、エンジン（主動力源）ENGを配置する。
【００１９】
ラビニョオ型プラネタリギヤセット２、エンジンENG、および複合電流２層モータ３は、ハイブリッド変速機の主軸線上に同軸に配置して変速機ケース１内に取り付けるが、変速機ケース１内には更に、上記の主軸線からオフセットさせて平行に配置したカウンターシャフト６およびディファレンシャルギヤ装置７をも内蔵させ、
ディファレンシャルギヤ装置７に左右駆動車輪８を駆動結合する。
【００２０】
ラビニョオ型プラネタリギヤセット２は、ロングピニオンP2を共有する２つのシングルピニオン遊星歯車組４，５の組み合わせになり、エンジンENGに近い側に配置された方を第１のシングルピニオン遊星歯車組４とし，他方を第２のシングルピニオン遊星歯車組５とする。
第１のシングルピニオン遊星歯車組４はサンギヤS2およびリングギヤR2にそれぞれロングピニオンP2を噛合させた構造とし、
第２のシングルピニオン遊星歯車組５は、共有ピニオンP2の他に、サンギヤS1およびリングギヤR1と、これらに噛合した大径のショートピニオンP1を有し、当該ショートピニオンP1を共有ピニオンP2に噛合させた構造とする。
そして遊星歯車組４，５のピニオンP1,P2を全て、共通なキャリアCにより回転自在に支持する。
【００２１】
以上の構成になるラビニョオ型プラネタリギヤセット２は、サンギヤS1、サンギヤS2、リングギヤR1、リングギヤR2、およびキャリアCの５個の回転メンバを主たる要素とし、これら５個のメンバのうち２個のメンバの回転速度を決定すると他のメンバの回転速度が決まる２自由度の差動装置を構成する。
そして５個の回転メンバの回転速度順は、図１（ｂ）の共線図に示すごとく、サンギヤS1、リングギヤR2、キャリアC、リングギヤR1、サンギヤS2の順番である。
【００２２】
複合電流２層モータ３は、内側ロータ3riと、これを包囲する環状の外側ロータ3roとを、変速機ケース１内に同軸に回転自在に支持して具え、これら内側ロータ3riおよび外側ロータ3ro間における環状空間に同軸に配置した環状ステータ3ｓを変速機ケース１に固設して構成する。
環状コイル3ｓと内側ロータ3riとで内側のモータ／ジェネレータである第１のモータ／ジェネレータMG1を構成し、環状コイル3ｓと外側ロータ3roとで外側のモータ／ジェネレータである第２のモータ／ジェネレータMG2を構成する。
ここでモータ／ジェネレータMG1,MG2はそれぞれ、複合電流をモータ側が負荷として供給される時は供給電流に応じた個々の方向の、また供給電流に応じた個々の速度（停止を含む）の回転を出力するモータとして機能し、複合電流を発電機側が負荷として印加した時は外力による回転に応じた電力を発生する発電機として機能する。
【００２３】
ラビニョオ型プラネタリギヤセット２の上記した５個の回転メンバには、回転速度順に、つまり図１（ｂ）の共線図にも示したが、サンギヤS1、リングギヤR2、キャリアC、リングギヤR1、サンギヤS2の順に、第１のモータ／ジェネレータMG1、主動力源であるエンジンENGからの入力、車輪駆動系への出力（Out）、ローブレーキL/B、第２のモータ／ジェネレータMG2を結合する。
【００２４】
この結合を図１（ａ）に基づき以下に詳述するに、リングギヤR2を上記の通りエンジン回転が入力される入力要素とするため、このリングギヤR2にエンジンクラッチ９を介してエンジンENGのクランクシャフトを結合する。
サンギヤS1は、これからエンジンENGと反対の後方へ延在する中空軸１１を介して第１のモータ／ジェネレータMG1（ロータ4ri）に結合し、このモータ／ジェネレータMG1および中空軸１１を遊嵌する中心軸１２を介してサンギヤS2を第２のモータ／ジェネレータMG2（ロータ4ro）に結合する。
そして、リングギヤR1と変速機ケース１との間にローブレーキL/Bを設け、このローブレーキL/BによりリングギヤR1を固定可能とする。
【００２５】
キャリアＣを前記のごとく、車輪駆動系へ回転を出力する出力要素とするため、このキャリアＣに中空のコネクティングメンバ（出力軸）１３を介して出力歯車１４を結合し、これをラビニョオ型プラネタリギヤセット２および複合電流２層モータ３間に配置して変速機ケース１内に回転自在に支持する。
出力歯車１４は、カウンターシャフト６上のカウンター歯車１５に噛合させ、出力歯車１４からの変速機出力回転が、カウンター歯車１５を経由し、その後、カウンターシャフト６を経てディファレンシャルギヤ装置７に至り、このディファレンシャルギヤ装置により左右駆動車輪８に分配されるものとし、これらで車輪駆動系を構成する。
【００２６】
上記の構成になるハイブリッド変速機は図１（ｂ）に示すような共線図により表すことができ、この共線図の横軸は遊星歯車組４，５のギヤ比により決まる回転メンバ間の距離の比、つまりリングギヤR2およびキャリアC間の距離を１とした時のサンギヤS1およびリングギヤR2間の距離の比をαで示し、キャリアCおよびサンギヤS2間の距離をβで示し、キャリアCおよびリングギヤR1間の距離をγで示したものである。
また共線図の縦軸は、各回転メンバの回転速度、つまりリングギヤR2へのエンジン回転数Ne、サンギヤS1（モータ／ジェネレータMG1）の回転数N1、キャリアCからの出力（Out）回転数No、およびサンギヤS2（モータ／ジェネレータMG2）の回転数N2、およびローブレーキL/Bにより固定され得るリングギヤR1の回転数を示し、２個の回転メンバの回転速度が決まれば他の２個の回転メンバの回転速度が決まる。
【００２７】
図１（ｂ）の共線図により上記ハイブリッド変速機の変速動作を以下に説明するに、前進（正）回転出力時の変速動作としてEVモードと、EV-LBモードと、EIVTモードと、EIVT-LBモードの４モードが存在し、後退（逆）回転出力用のREV変速動作が存在する。
EVモードは、図２に示すようにエンジンクラッチ９を解放すると共にローブレーキL/Bも解放した状態で、図１（ｂ）にレバーEVにより例示するごとく、エンジンENGからの動力を用いず両モータ／ジェネレータMG1,MG2（または一方のモータ/ジェネレータ）からの動力のみにより駆動系への出力Outを決定する。
EV-LBモードは、図２に示すようにローブレーキL/Bを締結した状態でEVモードと同様にエンジンENGからの動力を用いず両モータ／ジェネレータMG1,MG2（または一方のモータ/ジェネレータ）からの動力のみにより駆動系への出力Outを決定するモードで、変速状態を図１（ｂ）にレバーEV-LBにより例示するごとくローブレーキL/Bの締結に伴うレバー比によりEVモードよりも大トルクを出力することができる。
【００２８】
EIVTモードは、図２に示すようにエンジンクラッチ９を締結すると共にローブレーキL/Bを解放した状態で、図１（ｂ）にレバーEIVTにより例示するごとく、エンジンENGからの動力および両モータ／ジェネレータMG1,MG2（または一方のモータ/ジェネレータ）からの動力により駆動系への出力Outを決定する。
EIVT-LBモードは、図２に示すようにローブレーキL/Bを締結した状態でEIVTモードと同様エンジンENGからの動力および両モータ／ジェネレータMG1,MG2（または一方のモータ/ジェネレータ）からの動力により駆動系への出力Outを決定するモードで、変速状態を図１（ｂ）にレバーEIVT-LBにより例示するごとくローブレーキL/Bの締結に伴うレバー比によりEIVTモードよりも大トルクを出力することができる。
【００２９】
後退（逆）回転出力用のREV変速動作は、図１（ｂ）にレバーREVとして示すように、エンジンENGからの動力に依存することなく、ローブレーキL/Bの解放状態で、モータ／ジェネレータMG1の正回転、またはモータ／ジェネレータMG2の逆回転、或いはこれら双方により、キャリアCから出力（Out）へ逆回転が出力される変速状態である。
【００３０】
ローブレーキL/Bを締結しない状態でモータ／ジェネレータMG1,MG2からの動力のみを用いるEVモードの場合、モータ／ジェネレータMG1,MG2のトルクT1,T2および回転数N1,N2は、変速機出力トルクTo（要求駆動力Fに比例）および変速機出力回転数No（車速VSPに比例）を用いた次式により求め得る。
Ｎ2＝｛1／（1+α）｝｛-βＮ1+（1+α+β）Ｎo｝・・・（１）
Ｔ1＝｛β／（1+α+β）｝Ｔo      ・・・・（２）
Ｔ2＝｛（1+α）／（1+α+β）｝Ｔo   ・・・(２)
これら（１）式および（２）式と、モータ／ジェネレータMG1,MG2およびバッテリの特性とから、当該EVモード領域は車速VSPおよび要求駆動力Fの二次元座標上に例えば図２３のごとくに設定される。
【００３１】
ローブレーキL/Bを締結した状態でEVモードと同じ変速動作を行うEV-LBモードの場合、モータ／ジェネレータMG1,MG2のトルクT1,T2および回転数N1,N2は、変速機出力トルクToおよび変速機出力回転数Noを用いた次式により求め得る。（TLはローブレーキL/Bのトルク）
Ｎ1＝｛（1+α+γ）／γ｝Ｎo  ・・・（３）
Ｎ2＝｛（γ-β）／γ｝Ｎo    ・・・ (３)
Ｔ2＝｛１／（β-γ）｝｛（1+α+γ）Ｔ1-γＴo｝・・・（４）
ＴＬ＝Ｔo-Ｔ1-Ｔ2  ・・・(４)
これら（３）式および（４）式と、モータ／ジェネレータMG1,MG2およびバッテリの特性とから、当該EV-LBモード領域は車速VSPおよび要求駆動力Fの二次元座標上に例えば図２２のごとくに設定される。
【００３２】
ローブレーキL/Bを締結しない状態でエンジンENGからの動力（トルクTe、回転数Ne）およびモータ／ジェネレータMG1,MG2からの動力の双方を用いるEIVTモードの場合、モータ／ジェネレータMG1,MG2のトルクT1,T2および回転数N1,N2は、変速機出力トルクToおよび変速機出力回転数Noと、エンジントルクTeおよびエンジン回転数Neを用いた次式により求め得る。
Ｎ1＝-αＮo+（1+α）Ｎe  ・・・（５）
Ｎ2＝（1+β）Ｎo-βＮe  ・・・・(５)
Ｔ1＝｛１／（1+α+β）｝{βＴo-（1+β）Ｔe}・・・（６）
Ｔ2＝Ｔo-Ｔ1-Ｔe  ・・・(６)
これら（５）式および（６）式と、モータ／ジェネレータMG1,MG2およびバッテリ並びにエンジンENGの特性とから、当該EIVTモード領域は車速VSPおよび要求駆動力F並びにバッテリの蓄電状態SOC（持ち出し可能電力）に応じて決まり、車速VSPおよび要求駆動力Fの二次元座標上に表すと例えば図２１のごとくに設定される。
【００３３】
ローブレーキL/Bを締結した状態でEIVTモードと同じ変速動作を行うEIVT-LBモードの場合、モータ／ジェネレータMG1,MG2の回転数N1,N2およびエンジン回転数Neは変速機出力回転数Noを用いた以下の（７）式により表され、モータ／ジェネレータMG1,MG2のトルクT1,T2と、変速機出力トルクToと、エンジントルクTeと、ローブレーキL/BのトルクTLとの間には以下の（８）式の関係が成立する。
Ｎ1＝｛（1+α+γ）／γ｝Ｎo  ・・・（７）
Ｎ2＝｛（β-γ）／γ｝Ｎo    ・・・（７）
Ｎe＝｛（1+γ）／γ｝Ｎo     ・・・（７）
ＴＬ＝Ｔo-Ｔ1-Ｔ2-Ｔe         ・・・（８）
Ｔ2＝｛1／（β-γ）｝{-γＴo-（1+α＋γ）Ｔ1＋（1+γ）Ｔe}・・（８）当該EIVT-LBモード領域は、車速VSPおよび要求駆動力F並びにバッテリの蓄電状態SOC（持ち出し可能電力）に応じて決まり、車速VSPおよび要求駆動力Fの二次元座標上に表すと例えば図２０のごとくに設定される。
【００３４】
本実施の形態においては、上記４モードのうちのどれを選択するかのモード選択に際し、要求駆動力F、車速VSP、およびバッテリ蓄電状態SOC（持ち出し可能電力）により規定される動作点ごとに、エンジンENGの燃料消費量が最低となるモードを選択する。
かかるモード選択制御およびその他各モードでの変速動作制御を行うハイブリッド変速機の変速制御システムは図３に示すごとくに構成する。
２１は、エンジンENGおよびハイブリッド変速機の統合制御を司るハイブリッドコントローラ２１で、このハイブリッドコントローラ２１はエンジンENGの目標トルクtTeおよび目標回転数tNeに関する指令、エンジンクラッチ９のON,OFF（締結、解放）指令、およびローブレーキL/BのON,OFF（締結、解放）指令をエンジンコントローラ２２に供給し、エンジンコントローラ２２はエンジンENGを当該目標値tTe，tNeが達成されるよう運転させると共にエンジンクラッチ９およびローブレーキL/Bを指令通りにON,OFF（締結、解放）制御する。
【００３５】
ハイブリッドコントローラ２１は更に、モータ／ジェネレータMG1,MG2の目標トルクtT1，tT2および目標回転数tN1,tN2に関する指令信号をモータコントローラ２３に供給し、モータコントローラ２３はインバータ２４およびバッテリ２５によりモータ／ジェネレータMG1,MG2をそれぞれ、上記した目標トルクtT1，tT2および目標回転数tN1,tN2が達成されるよう制御する。
【００３６】
これがためハイブリッドコントローラ２１には、アクセルペダル踏み込み量からアクセル開度APOを検出するアクセル開度センサ２６からの信号と、車速VSP（出力回転数Noに比例）を検出する車速センサ２７からの信号と、エンジン回転数Neを検出するエンジン回転センサ２８からの信号とを入力する。
ハイブリッドコントローラ２１は、アクセルペダル踏み込み量APOおよび車速VSPから求め得る要求駆動力F、車速VSPおよびバッテリ２５の蓄電状態SOC（持ち出し可能電力）から運転者が希望する運転状態を実現するように、モード選択を行うと共に選択モードに応じた変速制御を実行して、上記した目標エンジントルクtTe、目標エンジン回転数tNe、目標モータ／ジェネレータ回転数tN1,tN2、および目標モータ／ジェネレータトルクtT1，tT2を決定して指令するものとする。
【００３７】
なおハイブリッドコントローラ２１に入力する回転速度情報は、上記したエンジン回転数Neおよび車速VSP（出力回転数No）に限られるものではなく、ラビニョオ型プラネタリギヤセット２で構成する差動装置が２自由度のものであることから、当該ラビニョオ型プラネタリギヤセット２内における回転メンバのいずれか２個の回転速度をハイブリッドコントローラ２１に入力してもよい。
【００３８】
図４は、上記のハイブリッドコントローラ２１が実行する制御プログラムを示し、先ずステップＳ１１において車速VSP、要求駆動力F、およびバッテリ蓄電状態SOC（持ち出し可能電力）を読み込み、これらから前記三次元座標上における現在の動作点を決定する。
次いでステップＳ１２において、三次元最適モードマップをもとに現在の動作点に好適なモードを選択する。
このモード選択に当たっては上記したごとく、前記４モードのうち現在の動作点（F，VSP，SOC）でエンジンの燃料消費量が最低となるモードを選択する。
このモード選択に当たっては、燃料軸に沿ってモータ／ジェネレータMG1,MG2によるバッテリ充放電量を演算し、バッテリ充電量が最大となるモードまたはバッテリ放電量が最小となるモードを選択する。
上記の演算を、車速VSPが２０km/h、要求駆動力Ｆが3000N、バッテリ蓄電状態SOC（持ち出し可能電力）が変化する動作点（EIVT-LBモードからEIVTモードへ切り替わる動作点）について、図５の制御プログラムにより以下に説明する。
【００３９】
なお以下では、バッテリ蓄電状態SOC（持ち出し可能電力）に代えて燃料効率EFF（kj/cc）を用いることとする。
ここで燃料効率EFFはバッテリ蓄電状態SOC（持ち出し可能電力）と密接に関連し、バッテリ蓄電状態SOC（持ち出し可能電力）が高い時バッテリの充電が不要で、燃料効率EFFが高くなり、バッテリ蓄電状態SOC（持ち出し可能電力）が低い時バッテリの充電が必要で、エンジン出力が充電に消費されて燃料効率EFFが低くなる。
【００４０】
演算処理の手順は以下の通りである。
図２４は、車速VSPが20km/hで、要求駆動力Ｆが3000Nである時の、燃料消費率Fuel[cc/s]に対する変速機消費電力Ｅ[k/Ｗ]の変化割合を示し、EIVT-LBモードでのそれをＥＬＢにより、またEIVTモードでのそれをＥＥＩＶＴにより示す。
これらEIVT-LBモードおよびEIVTモードにおいて、エンジンENGの回転数およびトルクの組み合わせで表される動作点（Ne,Te）、およびモータ／ジェネレータMG1,MG2の回転数およびトルクの組み合わせで表される動作点（N1,T1），（N2,T2）は、モードに対応する前記（３）式〜（８）式により、また、エンジンENGおよびモータ／ジェネレータMG1,MG2の特性を用い、そして、車速VSPおよび要求駆動力Ｆから算出する。
これら回転数Ne, N1, N2およびトルクTe, T1，T2を用いて、EIVT-LBモードでの消費電力ＥＬＢおよびEIVTモードでの消費電力ＥＥＩＶＴを図２４のように求めることができる。
【００４１】
これらEIVT-LBモードでの消費電力ＥＬＢおよびEIVTモードでの消費電力ＥＥＩＶＴのうち大きい方を選択すると、セレクトハイ消費電力Ｅは図２５のごときものとなり、燃料消費率fuelが2.2[cc/s]未満である間はEIVT-LBモードでの消費電力ＥＬＢがセレクトハイ消費電力Ｅとして選択され、燃料消費率fuelが2.2[cc/s]以上である間はEIVTモードでの消費電力ＥＥＩＶＴがセレクトハイ消費電力Ｅとして選択され、セレクトハイ消費電力Ｅは±10kＷの範囲内に収まって最大バッテリパワーが10kＷとなる。
なお、EIVT-LBモードでの燃料消費率fuelおよびEIVTモードでの燃料消費率fuelは図２６に示すごときものである。
【００４２】
図２５のセレクトハイ消費電力Ｅは、図２７に示すような燃料消費率fuelごとの燃料効率EFF[kJ/cc]を計算するためのもので、燃料効率EFF[kJ/cc]は次式により演算する。
EFF(i)＝｛E(i)-E(fuel0)｝／｛fuel(i)-fuel0｝・・・（９）
ここで基準燃料消費率fuel0は、図２７に示すように燃料効率EFF[kJ/cc]が最大になる最小燃料消費率fuelの値である。
図２７に示す燃料効率EFF[kJ/cc]の最大値から、図２８に示すような燃料効率EFF[kJ/cc]とセレクトハイ消費電力Ｅとの関係、つまり、関数Ｅ＝g(EFF)を求める。
次に、基準燃料消費率fuel0を変えて（９）式を再演算することにより燃料効率EFF[kJ/cc]を求め、この燃料効率EFF[kJ/cc]をもとに関数Ｅ＝g(EFF)の次の点を算出する。
新しい基準燃料消費率fuel0は、燃料効率EFF[kJ/cc]が最大になる燃料消費率fuelに対応し、新しい最大値が図２８に示すように算出される。
上記の処理を、基準燃料消費率fuel0が燃料消費率fuelの最大値に達するまで、または、燃料効率EFF[kJ/cc]の最大値が負値になるまで繰り返す。
【００４３】
上記の計算をハイブリッドコントローラ２１は、図５の制御プログラムにより実行する。
先ずステップＳ３１において、EIVT-LBモードでの消費電力ＥＬＢおよびEIVTモードでの消費電力ＥＥＩＶＴを前記した要領で算出する。
次のステップＳ３２において、これらEIVT-LBモードでの消費電力ＥＬＢおよびEIVTモードでの消費電力ＥＥＩＶＴのうち大きい方を選択して図２５のごときセレクトハイ消費電力Ｅを求める。
ステップＳ３３では、（９）式を用いて基準燃料消費率fuel0から図２７に例示する燃料消費率fuelごとの燃料効率EFF[kJ/cc]を算出する。
ステップＳ３４では、燃料効率EFF[kJ/cc]の最大値max(EFF)が負値になったか否かをチェックし、負値になったら制御を終了させるが、それまでの間は、制御をステップＳ３５以降に進めて図２８に例示されるような前記の関数Ｅ＝g(EFF)を確立させる。
【００４４】
これがためステップＳ３５では関数Ｅ＝g(EFF)を求め、次いでステップＳ３６において、燃料効率EFF[kJ/cc]の最大値max(EFF)に対応した燃料消費率fuelを基準燃料消費率fuel0にセットする。
ステップＳ３７では、この基準燃料消費率fuel0が燃料消費率fuelの最大値max(fuel)に達したか否かをチェックし、基準燃料消費率fuel0がmax(fuel)に達するまでは制御をステップＳ３３に戻して、ステップＳ３６で求め直した新たな基準燃料消費率fuel0を用いて燃料効率EFF[kJ/cc]を算出し直し、上記のループを繰り返す。
そしてステップＳ３７で基準燃料消費率fuel0が燃料消費率fuelの最大値max(fuel)に達したと判定した時に制御を終了させる。
図２８に示す関数Ｅ＝g(EFF)は、燃料効率EFF（バッテリ蓄電状態SOC）が８[kJ/cc]の時を境にして、燃料効率EFF[kJ/cc]（バッテリ蓄電状態SOC）がこれより低下する時にローブレーキL/Bが解放されたEIVTモードを選択し、燃料効率EFF[kJ/cc]（バッテリ蓄電状態SOC）がこれより増大した時にローブレーキL/Bが締結されたEIVT-LBモードを選択する。
【００４５】
以上の演算により、バッテリの消費電力Ｅごとに燃料消費率fuelができるだけ小さくなるようEIVT-LBモードおよびEIVTモード間の切り替えを行うことから、当該モード切り替えが、バッテリ消費電力Ｅや、燃料消費率fuelを考慮して、この燃料消費率をできるだけ小さくする態様で行われることとなり、エンジンの燃費を良くすることができる。
【００４６】
以上の処理を動作点ごとに行うことで、全ての動作点について燃料消費が最低になる最適モードを求めることができ、これら最適モード領域を、バッテリ蓄電状態SOC（持ち出し可能電力）が小さい時は図２９に示すように、また、バッテリ蓄電状態SOC（持ち出し可能電力）が中程度の時は図３０に示すように、そして、バッテリ蓄電状態SOC（持ち出し可能電力）が大きい時は図３１に示すように定めることができる。
【００４７】
次いで、図４のステップＳ１３〜ステップＳ１５に係わることであるが、前記４モードのうちの複数モードのどちらを選択しても、または、どれを選択しても燃料消費の点で大差がない前記した任意領域、および、当該任意領域でのモード選択処理を説明する。
先ず、EIVT-LBモードおよびEIVTモードのどちらを選択しても燃料消費の点で大差がない図４のステップＳ１３に係わる任意領域について考察する。
この場合、或るバッテリ蓄電状態SOC（持ち出し可能電力）のもとで（従って燃料効率EFFが一定：燃料消費率fuelが一定のもとで）、目標駆動力Ｆおよび車速VSPの二次元座標上における各動作点のEIVT-LBモード時消費電力E(LB)およびEIVTモード時消費電力E(EIVT)を求め、これら両者間の消費電力差の絶対値ε（＝｜E(LB)−E(EIVT)｜）を、バッテリ蓄電状態SOC（持ち出し可能電力）が小さい場合につき図３２に例示するごとくに算出する。
【００４８】
図３２において、領域Ａでは消費電力差εが２kw以上の大きなものとなり、領域Ｂでも消費電力差εが２kw未満、１kw以上の大きなものとなり、領域Ｃでも消費電力差εが１kw未満、0.5kw以上の大きなものとなるが、領域Ｚでは消費電力差εが0.5kw未満（例えば１kwに定め得る設定値δ１以下）で、EIVT-LBモードおよびEIVTモードの何れを選択しても燃料消費の点で大差がないことから、この領域Ｚを任意領域Z(EIVT-LB,EIVT)に設定してここでは全体的にEIVT-LBモードまたはEIVTモードを選択するようになす。
この任意領域Z(EIVT-LB,EIVT)は例えば、バッテリ蓄電状態SOC（持ち出し可能電力）が低いときは図３３に示すようなものとなり、バッテリ蓄電状態SOC（持ち出し可能電力）が中程度のときは図３４に示すようなものとなり、バッテリ蓄電状態SOC（持ち出し可能電力）が高いときは図３５に示すようなものとなる。
【００４９】
次に、この任意領域Z(EIVT-LB,EIVT)で上記の通りにEIVT-LBモードまたはEIVTモードを選択する、図４のステップＳ１３での制御内容を説明するに、以下の２つの方法がある。
（１）第１の方法は、任意領域Z(EIVT-LB,EIVT)でEIVT-LBモードまたはEIVTモードに固定する簡単な方法で、図６に示すように、ステップＳ４１で動作点が任意領域Z(EIVT-LB,EIVT)内にあると判定するとき、ステップＳ４２で選択モードを指示する変数modeにEIVTモードをセットし、或いは図７に示すように、ステップＳ４１で動作点が任意領域Z(EIVT-LB,EIVT)内にあると判定するとき、ステップＳ４３で変数modeにEIVT-LBモードをセットする方法である。
【００５０】
図６のモード選択によれば、バッテリ蓄電状態SOC（持ち出し可能電力）および目標駆動力Ｆが一定であり、車速VSPが変化する時における任意領域Z(EIVT-LB,EIVT)でのモード選択を簡単化することができる。
図７のモード選択によれば、バッテリ蓄電状態SOC（持ち出し可能電力）および車速VSPが一定であり、目標駆動力Ｆが変化する時における任意領域Z(EIVT-LB,EIVT)でのモード選択を簡単化することができる。
【００５１】
（２）第２の方法は、任意領域Z(EIVT-LB,EIVT)においてEIVT-LBモードおよびEIVTモード間でのモード切り替えを行う方法で、以下の２通りの方法がある。
【００５２】
一方の方法は、
（ａ）動作点が任意領域Z(EIVT-LB,EIVT)に入る直前のモードに応じて当該モード切り替えを行うもので、直前モードがローブレーキL/Bを解放させているモード（EIVTモードまたはEVモード）であった場合は、動作点が任意領域Z(EIVT-LB,EIVT)に入ったときに、ローブレーキL/Bの締結切り替えを避けるためEIVT-LBモードおよびEIVTモードのうちEIVTモードを選択する。
動作点が図３６に示すように（イ）から（ロ）を経てから（ハ）へ移動する場合につき述べると、EIVTモード領域の動作点（イ）が任意領域Z(EIVT-LB,EIVT)の動作点（ロ）へ移動した時、EIVT-LBモードおよびEIVTモードのうち、ローブレーキL/Bの締結を要求しないEIVTモードを選択させる。
動作点が任意領域Z(EIVT-LB,EIVT)に入る直前のモードがローブレーキL/Bを締結させているモード（EIVT-LBモードまたはEV-LBモード）であった場合は、動作点が任意領域Z(EIVT-LB,EIVT)に入ったときに、ローブレーキL/Bの解放切り替えを避けるためEIVT-LBモードおよびEIVTモードのうちEIVT-LBモードを選択する。動作点が図３７に示すように（ニ）から（ホ）を経て（ヘ）へ移動する場合につき述べると、EIVT-LBモード領域の動作点（ニ）が任意領域Z(EIVT-LB,EIVT)の動作点（ホ）へ移動した時、EIVT-LBモードおよびEIVTモードのうち、ローブレーキL/Bの解放を要求しないEIVT-LBモードを選択させる。
【００５３】
上記のモード選択を図４のステップＳ１３は、図８に示す制御プログラムにより実行する。つまり、ステップＳ４１で動作点が任意領域Z(EIVT-LB,EIVT)内にあると判定するとき、ステップＳ４４において、動作点が任意領域Z(EIVT-LB,EIVT)に入る直前のモードmode（直前）がローブレーキL/Bを解放させているモード（EIVTモードまたはEVモード）であったか、それともローブレーキL/Bを締結させているモード（EIVT-LBモードまたはEV-LBモード）であったかを判定し、前者の判定時はステップＳ４５で、選択モードを指示する変数modeにEIVTモードをセットし、後者の判定時はステップＳ４６で変数modeにEIVT-LBモードをセットする。
【００５４】
本モード選択によれば、図６および図７によるモード選択の前記した利点に加えて、ローブレーキL/BのON,OFF切り替えによる制御の面倒を減ずることができる。
【００５５】
他方の方法は、
（ｂ）動作点が任意領域Z(EIVT-LB,EIVT)に入る直前のモード、および、当該任意領域に入ってからの継続時間ｔ１に応じ、任意領域Z(EIVT-LB,EIVT)でのEIVT-LBモードおよびEIVTモード間のモード切り替えを行うもので、以下の２ステップによりこの切り替えを行う。
先ず第１ステップでは、上記（ａ）におけると同様にして任意領域Z(EIVT-LB,EIVT)に入る直前のモードに応じ当該任意領域でのモードを決定する。
次の第２ステップでは、任意領域継続時間ｔ１が設定時間Ｔ（例えば３秒）以上になると、ｔ１＝Ｔになった時に前記の最適マップから最低燃費のための最適モードを読み込み、任意領域Z(EIVT-LB,EIVT)でのモードをこの最適モードに切り替える。もちろん任意領域継続時間ｔ１が設定時間Ｔ未満である間は、任意領域Z(EIVT-LB,EIVT)でのモードを上記（ａ）のように求めたモードに維持してモード切り替えを行わない。
動作点が図３８〜図４０に示すように（ト）から（チ）を経て（リ）へ移動する場合につき述べると、EIVTモード領域の動作点（ト）が任意領域Z(EIVT-LB,EIVT)の動作点（チ）を経て同じく任意領域Z(EIVT-LB,EIVT)の動作点（リ）へ移動した時、当初のｔ１<Ｔである間は図３８および図３９に示すように、上記（ａ）により求めた通りローブレーキL/Bの締結を要求しないEIVTモードを継続的に選択させる。
任意領域継続時間ｔ１がｔ１≧Ｔになったところで、ｔ１＝Ｔになった時の、つまり、動作点（リ）における最適モードを読み込み、この最適モードがEIVT-LBモードであるから任意領域Z(EIVT-LB,EIVT)のモードを、図４０に示すように上記した当初のEIVTモードからEIVT-LBモードに切り替える。
【００５６】
上記のモード選択を図４のステップＳ１３は、図９に示す制御プログラムにより実行する。
つまり、ステップＳ５１で動作点が任意領域Z(EIVT-LB,EIVT)内にあると判定する時ステップＳ５２において、任意領域継続時間ｔ１を計測するタイマ（同符号ｔ１で示す）に図９の演算周期ｋを加算して任意領域継続時間ｔ１を計測する。
次のステップＳ５３においては、動作点が任意領域Z(EIVT-LB,EIVT)に入る直前のモードmode（直前）がローブレーキL/Bを解放させているモード（EIVTモードまたはEVモード）であったか、それともローブレーキL/Bを締結させているモード（EIVT-LBモードまたはEV-LBモード）であったかを判定し、前者の判定時はステップＳ５４で任意領域継続時間ｔ１が設定時間Ｔ未満と判定する間ステップＳ６０において、選択モードを指示する変数modeにEIVTモードをセットし、後者の判定時はステップＳ５５で任意領域継続時間ｔ１が設定時間Ｔ未満と判定する間ステップＳ６１において、変数modeにEIVT-LBモードをセットする。
【００５７】
ステップＳ５４，Ｓ５５で任意領域継続時間ｔ１が設定時間Ｔ以上と判定するに至った後は、ステップＳ５６，Ｓ５７において任意領域継続時間計測タイマｔ１を０にリセットし、ステップＳ５８，Ｓ５９において、ｔ１＝Ｔになった時の動作点における最適モードmodeを読み込んで、この最適モードをチェックする。
ステップＳ５８では最適モードmodeがEIVTモードか否かを判定し、EIVTモードなら制御をステップＳ６０に進めてこのEIVTモードを保持し、EIVTモードでなければ制御をステップＳ６１に進めてEIVT-LBモードへの切り替えを行う。
ステップＳ５９では最適モードmodeがEIVT-LBモードか否かを判定し、EIVT-LBモードなら制御をステップＳ６１に進めてこのEIVT-LBモードを保持し、EIVT-LBモードでなければ制御をステップＳ６０に進めてEIVTモードへの切り替えを行う。
なお、ステップＳ５１で動作点が任意領域Z(EIVT-LB,EIVT)内でないと判定する時は、ステップＳ６２において任意領域継続時間計測タイマｔ１を０にリセットする。
【００５８】
本モード選択によれば、図６〜８によるモード選択の前記した利点に加えて、燃料消費量をもっと効率的に減ずることができる。
【００５９】
次いで、EV-LBモードおよびEVモードのどちらを選択しても燃料消費の点で大差がない図４のステップＳ１４に係わる任意領域Z(EV-LB,EV)について考察するに、この任意領域Z(EV-LB,EV)も前記した任意領域Z(EIVT-LB,EIVT)と同様に、各動作点のEV-LBモード時消費電力E(EV-LB)およびEVモード時消費電力E(EV)を求め、これら両者間の消費電力差の絶対値ε（＝｜E(EV-LB)−E(EV)｜）が設定値δ２以下となる領域を、例えば図３４および図３５に例示するごとくに任意領域Z(EV-LB,EV)と定める。
この任意領域Z(EV-LB,EV)でも、任意領域Z(EIVT-LB,EIVT)と同様の考え方によりモード選択を行い、EV-LBモードおよびEVモードの何れを選択しても燃料消費の点で大差がないことから、全体的にEV-LBモードまたはEVモードを選択するようになす。
【００６０】
次に、この任意領域Z(EV-LB,EV)で上記の通りにEV-LBモードまたはEVモードを選択する、図４のステップＳ１４での制御内容を説明するに、以下の２つの方法がある。
（１）第１の方法は、任意領域Z(EV-LB,EV)でEV-LBモードまたはEVモードに固定する簡単な方法で、図１０に示すように、ステップＳ７１で動作点が任意領域Z(EV-LB,EV)内にあると判定するとき、ステップＳ７２で選択モードを指示する変数modeにEV-LBモードをセットし、或いは図１１に示すように、ステップＳ７１で動作点が任意領域Z(EV-LB,EV)内にあると判定するとき、ステップＳ７３で変数modeにEVモードをセットする方法である。
【００６１】
図１０のモード選択によれば、車速VSPが小さな一定値で、目標駆動力Ｆが変化している時にEV-LBモードを選択し続けてモードの切り替えを不要にすることができる。
図１１のモード選択によれば、目標駆動力Ｆが小さな一定値で、車速VSPが変化している時にEVモードを選択し続けてモードの切り替えを不要にすることができる。
【００６２】
（２）第２の方法は、任意領域Z(EV-LB,EV)においてEV-LBモードおよびEVモード間でのモード切り替えを行う方法で、以下の２通りの方法がある。
【００６３】
一方の方法は、
（ａ）動作点が任意領域Z(EV-LB,EV)に入る直前のモードに応じて当該モード切り替えを行うもので、直前モードがローブレーキL/Bを解放させているモード（EIVTモードまたはEVモード）であった場合は、動作点が任意領域Z(EV-LB,EV)に入ったときに、ローブレーキL/Bの締結切り替えを避けるためEV-LBモードおよびEVモードのうちEVモードを選択する。
動作点が任意領域Z(EV-LB,EV)に入る直前のモードがローブレーキL/Bを締結させているモード（EIVT-LBモードまたはEV-LBモード）であった場合は、動作点が任意領域Z(EV-LB,EV)に入ったときに、ローブレーキL/Bの解放切り替えを避けるためEV-LBモードおよびEVモードのうちEV-LBモードを選択する。
【００６４】
上記のモード選択を図４のステップＳ１３は、図１２に示す制御プログラムにより実行する。
つまり、ステップＳ７１で動作点が任意領域Z(EV-LB,EV)内にあると判定するとき、ステップＳ７４において、動作点が任意領域Z(EV-LB,EV)に入る直前のモードmode（直前）がローブレーキL/Bを解放させているモード（EIVTモードまたはEVモード）であったか、それともローブレーキL/Bを締結させているモード（EIVT-LBモードまたはEV-LBモード）であったかを判定し、前者の判定時はステップＳ７５で、選択モードを指示する変数modeにEVモードをセットし、後者の判定時はステップＳ７６で変数modeにEV-LBモードをセットする。
【００６５】
本モード選択によれば、図１０および図１１によるモード選択の前記した利点に加えて、ローブレーキL/BのON,OFF切り替えによる制御の面倒を減ずることができる。
【００６６】
他方の方法は、
（ｂ）動作点が任意領域Z(EV-LB,EV)に入る直前のモード、および、当該任意領域に入ってからの継続時間ｔ２に応じ、任意領域Z(EV-LB,EV)でのEV-LBモードおよびEVモード間のモード切り替えを行うもので、以下の２ステップによりこの切り替えを行う。
先ず第１ステップでは、上記（ａ）におけると同様にして任意領域Z(EV-LB,EV)に入る直前のモードに応じ当該任意領域でのモードを決定する。
次の第２ステップでは、任意領域継続時間ｔ２が設定時間Ｔ２（例えば３秒）以上になると、ｔ２＝Ｔ２になった時に前記の最適マップから最低燃費のための最適モードを読み込み、任意領域Z(EV-LB,EV)でのモードをこの最適モードに切り替える。もちろん任意領域継続時間ｔ２が設定時間Ｔ２未満である間は、任意領域Z(EV-LB,EV)でのモードを上記（ａ）のように求めたモードに維持してモード切り替えを行わない。
任意領域継続時間ｔ２がｔ２≧Ｔ２になったところで、ｔ２＝Ｔ２になった時の最適モードを読み込み、この最適モードがEV-LBモードである場合は、任意領域Z(EV-LB,EV)のモードを当初のEVモードからEV-LBモードに切り替える。
【００６７】
上記のモード選択を図４のステップＳ１４は、図１３に示す制御プログラムにより実行する。つまり、ステップＳ８１で動作点が任意領域Z(EV-LB,EV)内にあると判定する時ステップＳ８２において、任意領域継続時間ｔ２を計測するタイマ（同符号ｔ２で示す）に図１３の演算周期ｋを加算して任意領域継続時間ｔ２を計測する。
次のステップＳ８３においては、動作点が任意領域Z(EV-LB,EV)に入る直前のモードmode（直前）がローブレーキL/Bを解放させているモード（EIVTモードまたはEVモード）であったか、それともローブレーキL/Bを締結させているモード（EIVT-LBモードまたはEV-LBモード）であったかを判定し、前者の判定時はステップＳ８４で任意領域継続時間ｔ２が設定時間Ｔ２未満と判定する間ステップＳ９０において、選択モードを指示する変数modeにEVモードをセットし、後者の判定時はステップＳ８５で任意領域継続時間ｔ２が設定時間Ｔ２未満と判定する間ステップＳ９１において、変数modeにEV-LBモードをセットする。
【００６８】
ステップＳ８４，Ｓ８５で任意領域継続時間ｔ２が設定時間Ｔ２以上と判定するに至った後は、ステップＳ８６，Ｓ８７において任意領域継続時間計測タイマｔ２を０にリセットし、ステップＳ８８，Ｓ８９において、ｔ２＝Ｔ２になった時の動作点における最適モードmodeを読み込んで、この最適モードをチェックする。
ステップＳ８８では最適モードmodeがEVモードか否かを判定し、EVモードなら制御をステップＳ９０に進めてこのEVモードを保持し、EVモードでなければ制御をステップＳ９１に進めてEV-LBモードへの切り替えを行う。
ステップＳ８９では最適モードmodeがEV-LBモードか否かを判定し、EV-LBモードなら制御をステップＳ９１に進めてこのEV-LBモードを保持し、EV-LBモードでなければ制御をステップＳ９０に進めてEVモードへの切り替えを行う。
なお、ステップＳ８１で動作点が任意領域Z(EV-LB,EV)内でないと判定する時は、ステップＳ９２において任意領域継続時間計測タイマｔ２を０にリセットする。
【００６９】
本モード選択によれば、図１０〜１２によるモード選択の前記した利点に加えて、燃料消費量をもっと効率的に減ずることができる。
【００７０】
次いで、EV-LBモード、およびEVモード、並びにEIVTモードのどれを選択しても燃料消費の点で大差がない図４のステップＳ１５に係わる任意領域Z(EV-LB,EV,EIVT)について考察するに、この任意領域Z(EV-LB,EV,EIVT)も前記した任意領域Z(EIVT-LB,EIVT)と同様に、各動作点のEV-LBモード時消費電力E(EV-LB)およびEVモード時消費電力E(EV)並びにEIVTモード時消費電力E(EIVT)を求め、EV-LBモード時消費電力E(EV-LB)およびEVモード時消費電力E(EV)間の消費電力差の絶対値ε１（＝｜E(EV-LB)−E(EV)｜）と、EV-LBモード時消費電力E(EV-LB)およびEIVTモード時消費電力E(EIVT) 間の消費電力差の絶対値ε２（＝｜E(EV-LB)−E(EIVT)｜）と、EVモード時消費電力E(EV)およびEIVTモード時消費電力E(EIVT)間の消費電力差の絶対値ε３（＝｜E(EV)−E(EIVT)｜）とが、ともに設定値δ３以下となる領域を、例えば図３４および図３５に例示するごとくに任意領域Z(EV-LB,EV,EIVT)と定める。
この任意領域Z(EV-LB,EV,EIVT)でも、選択モードが１つ増えるものの、任意領域Z(EIVT-LB,EIVT)と同様の考え方によりモード選択を行い、EV-LBモードおよびEVモード並びにEIVTモードの何れを選択しても燃料消費の点で大差がないことから、全体的にEV-LBモードまたはEVモード或いはEIVTモードを選択するようになす。
【００７１】
次に、この任意領域Z(EV-LB,EV,EIVT)で上記の通りにEV-LBモードまたはEVモード或いはEIVTモードを選択する、図４のステップＳ１６での制御内容を説明するに、以下の２つの方法がある。
（１）第１の方法は、任意領域Z(EV-LB,EV,EIVT)でEV-LBモードまたはEVモード或いはEIVTモードに固定する簡単な方法で、図１４に示すように、ステップＳ111で動作点が任意領域Z(EV-LB,EV,EIVT)内にあると判定するとき、ステップＳ112で選択モードを指示する変数modeにEV-LBモードをセットし、または図１５に示すように、ステップＳ111で動作点が任意領域Z(EV-LB,EV,EIVT)内にあると判定するとき、ステップＳ113で変数modeにEIVTモードをセットし、或いは図１６に示すように、ステップＳ111で動作点が任意領域Z(EV-LB,EV,EIVT)内にあると判定するとき、ステップＳ114で変数modeにEVモードをセットする方法である。
【００７２】
図１４のモード選択によれば、車速VSPが小さな一定値で、目標駆動力Ｆが変化している時にEV-LBモードを選択し続けてモードの切り替えを不要にすることができる。
図１５のモード選択によれば、車速VSPが目標駆動力Ｆに比例して変化している時にEIVTモードを選択し続けてモードの切り替えを不要にすることができる。
図１６のモード選択によれば、目標駆動力Ｆが小さな一定値で、車速VSPが変化している時にEVモードを選択し続けてモードの切り替えを不要にすることができる。
しかし、動作点が任意領域Z(EV-LB,EV,EIVT)に入るときに例えばEIVTモードからEV-LBモードへの切り替えが発生するように任意領域Z(EV-LB,EV,EIVT)のモードを設定すると、エンジンクラッチ９の締結およびローブレーキL/Bの締結の双方を同時に行う必要があってモード切り替えが極めて困難になることから、任意領域Z(EV-LB,EV,EIVT)にモードを設定するに当たっては、このような困難が起きることのないように定めるものとする。
【００７３】
（２）第２の方法は、任意領域Z(EV-LB,EV,EIVT)においてEV-LBモードおよびEVモード並びにEIVTモード間でのモード切り替えを行う方法で、以下の２通りの方法がある。
しかし、３モード間での切り替えであるからといって、モード切り替えが６パターン可能であるという訳ではなく、EV-LBモードからEVモードへの切り替えと、EIVTモードからEV-LBモードへの切り替えと、EIVTモードからEVモードへの切り替えが可能であるのみである。
【００７４】
一方の方法は、
（ａ）動作点が任意領域Z(EV-LB,EV,EIVT)に入る直前のモードに応じて上記のモード切り替えを行うもので、動作点が任意領域Z(EV-LB,EV,EIVT)に入る直前のモードがローブレーキL/Bを締結させているモード（EIVT-LBモードまたはEV-LBモード）であった場合は、動作点が任意領域Z(EV-LB,EV,EIVT)に入ったときに、ローブレーキL/Bの解放切り替えを避けるためEV-LBモード、EVモード、EIVTモードのうちのEV-LBモードを選択し、
直前モードがローブレーキL/Bを解放させているモード（EIVTモードまたはEVモード）のうちEVモードであった場合は、動作点が任意領域Z(EV-LB,EV,EIVT)に入ったときに、ローブレーキL/Bの締結切り替えを避けるため、またモード切り替えを避けるため、EV-LBモード、EVモード、EIVTモードのうちのEVモードを選択し、
直前モードがローブレーキL/Bを解放させているモード（EIVTモードまたはEVモード）のうちEIVTモードであった場合は、動作点が任意領域Z(EV-LB,EV,EIVT)に入ったときに、ローブレーキL/Bの締結切り替えを避けるため、またモード切り替えを避けるため、EV-LBモード、EVモード、EIVTモードのうちのEIVT モードを選択する。
【００７５】
上記のモード選択を図４のステップＳ１５は、図１７に示す制御プログラムにより実行する。
つまり、ステップＳ121で動作点が任意領域Z(EV-LB,EV,EIVT)内にあると判定するとき、ステップＳ122において、動作点が任意領域Z(EV-LB,EV,EIVT)に入る直前のモードmode（直前）がローブレーキL/Bを解放させているモード（EIVTモードまたはEVモード）であったか、それともローブレーキL/Bを締結させているモード（EIVT-LBモードまたはEV-LBモード）であったかを判定し、前者の判定時は更にステップＳ123で、直前モードmode（直前）がEIVTモードまたはEVモードの何れであったかをチェックする。
ステップＳ122で直前モードmode（直前）がローブレーキL/Bを締結させたモードであったと判定する時はステップＳ124で、選択モードを指示する変数modeにEV-LBモードをセットし、
ステップＳ123で直前モードmode（直前）がEVモードであったと判定する時は、ステップＳ125において変数modeにEVモードをセットし、
ステップＳ123で直前モードmode（直前）がEIVTモードであったと判定する時は、ステップＳ126において変数modeにEIVTモードをセットする。
【００７６】
本モード選択によれば、図１４〜図１６によるモード選択の前記した利点に加えて、ローブレーキL/Bおよびエンジンクラッチ９の同時ON,OFF切り替えをなくしてモード切り替え制御の困難をなくすことができる。
【００７７】
他方の方法は、
（ｂ）動作点が任意領域Z(EV-LB,EV,EIVT)に入る直前のモード、および、当該任意領域に入ってからの継続時間ｔ３に応じ、任意領域Z(EV-LB,EV,EIVT)でのモードにEV-LBモード、またはEVモード、或いはEIVTモードをセットするもので、以下の２ステップによりこのモード設定を行う。
先ず第１ステップでは、上記（ａ）におけると同様にして任意領域Z(EV-LB,EV,EIVT)に入る直前のモードに応じ当該任意領域でのモードを決定する。
次の第２ステップでは、任意領域継続時間ｔ３が設定時間Ｔ３（例えば３秒）以上になると、ｔ３＝Ｔ３になった時に前記の最適マップから最低燃費のための最適モードを読み込み、任意領域Z(EV-LB,EV,EIVT)でのモードをこの最適モードに切り替える。もちろん任意領域継続時間ｔ３が設定時間Ｔ３未満である間は、任意領域Z(EV-LB,EV,EIVT)でのモードを上記（ａ）のように求めたモードに維持してモード切り替えを行わない。
任意領域継続時間ｔ３がｔ２≧Ｔ３になったところで、ｔ３＝Ｔ３になった時の最適モードを読み込み、この最適モードがEV-LBモードである場合は、任意領域Z(EV-LB,EV,EIVT)のモードを当初のEVモードからEV-LBモードに切り替える。
【００７８】
上記のモード選択を図４のステップＳ１５は、図１８に示す制御プログラムにより実行する。
つまり、ステップＳ131で動作点が任意領域Z(EV-LB,EV,EIVT)内にあると判定する時ステップＳ132において、任意領域継続時間ｔ３を計測するタイマ（同符号ｔ３で示す）に図１８の演算周期ｋを加算して任意領域継続時間ｔ３を計測し、制御をステップＳ133に進める。
ステップＳ133においては、動作点が任意領域Z(EV-LB,EV,EIVT)に入る直前のモードmode（直前）がローブレーキL/Bを解放させているモード（EIVTモードまたはEVモード）であったか、それともローブレーキL/Bを締結させているモード（EIVT-LBモードまたはEV-LBモード）であったかを判定し、前者の判定時は更にステップＳ134で、直前モードmode（直前）がEIVTモードまたはEVモードの何れであったかをチェックする。
ステップＳ133で直前モードmode（直前）がローブレーキL/Bを締結させたモードであったと判定する場合、ステップＳ135で任意領域継続時間ｔ３が設定時間Ｔ３以上と判定するまではステップＳ136で、選択モードを指示する変数modeにEV-LBモードをセットする。
ステップＳ134で直前モードmode（直前）がEVモードであったと判定する場合、ステップＳ137で任意領域継続時間ｔ３が設定時間Ｔ３以上と判定するまでは、ステップＳ138において変数modeにEVモードをセットする。
ステップＳ134で直前モードmode（直前）がEIVTモードであったと判定する場合、ステップＳ139で任意領域継続時間ｔ３が設定時間Ｔ３以上と判定するまでは、ステップＳ140において変数modeにEIVTモードをセットする。
【００７９】
ステップＳ133で直前モードmode（直前）がローブレーキL/Bを締結させたモードであったと判定する場合に選択されるステップＳ135において、任意領域継続時間ｔ３が設定時間Ｔ３以上になったと判定する時は、ステップＳ141において任意領域継続時間計測タイマｔ３を０にリセットし、ステップＳ142において、ｔ３＝Ｔ３になった時の動作点における最適モードmodeを読み込み、この最適モードをチェックする。
ステップＳ142では最適モードmodeがEV-LBモードか否かを判定し、EV-LBモードなら制御をステップＳ136に進めてこのEV-LBモードを保持し、EV-LBモードでなければ制御をステップＳ138に進めてEVモードへの切り替えを行う。
ステップＳ134で直前モードmode（直前）がEVモードであったと判定する場合に選択されるステップＳ137において、任意領域継続時間ｔ３が設定時間Ｔ３以上になったと判定する時は、ステップＳ143において任意領域継続時間計測タイマｔ３を０にリセットし、ステップＳ144において、ｔ３＝Ｔ３になった時の動作点における最適モードmodeを読み込み、この最適モードをチェックする。
ステップＳ144では最適モードmodeがEVモードか否かを判定し、EVモードなら制御をステップＳ138に進めてこのEVモードを保持し、EVモードでなければ制御をステップＳ136に進めてEV-LBモードへの切り替えを行う。
ステップＳ134で直前モードmode（直前）がEIVTモードであったと判定する場合に選択されるステップＳ139において、任意領域継続時間ｔ３が設定時間Ｔ３以上になったと判定する時は、ステップＳ145において任意領域継続時間計測タイマｔ３を０にリセットし、ステップＳ144において、ｔ３＝Ｔ３になった時の動作点における最適モードmodeを読み込み、この最適モードをチェックする。
ステップＳ144では最適モードmodeがEVモードか否かを判定し、EVモードなら制御をステップＳ138に進めてこのEVモードを保持し、EVモードでなければ制御をステップＳ136に進めてEV-LBモードへの切り替えを行う。
なお、ステップＳ131で動作点が任意領域Z(EV-LB,EV,EIVT)内でないと判定する時は、ステップＳ146において任意領域継続時間計測タイマｔ３を０にリセットする。
【００８０】
本モード選択によれば、図１７によるモード選択の前記した利点に加えて、燃料消費量をもっと効率的に減ずることができる。
【００８１】
図４の制御プログラムでは、ステップＳ１１〜ステップＳ１５で上記のようにして選択したモードに基づき、以下のごとくにハイブリッド変速機の変速制御を行う。
ステップＳ１６で選択モード（mode）がEVモードか否かをチェックし、ステップＳ１７で選択モードがEV-LBモードか否かをチェックし、ステップＳ１８で選択モードがEIVTモードか否かをチェックし、ステップＳ１９で選択モードがEIVT-LBモードか否かをチェックする。
【００８２】
ステップＳ１６でEVモードが選択されていると判定した場合ステップＳ２０において、EVモード用の三次元マップからモータ／ジェネレータMG1の目標回転数tN1を検索し、この目標回転数tN1および車速VSP（出力回転数No）を用いて前記（１）式からモータ／ジェネレータMG2の目標回転数tN2を算出し、目標駆動力F（出力トルクTo）を用いて（２）式からモータ／ジェネレータMG1,MG2の目標トルクtT1,tT2を算出する。
【００８３】
ステップＳ１７でEV-LBモードが選択されていると判定した場合ステップＳ２１において、EV-LBモード用の三次元マップからモータ／ジェネレータMG1の目標トルクtT1を検索し、この目標トルクtT1および目標駆動力F（出力トルクTo）を用いて（４）式からモータ／ジェネレータMG2の目標トルクtT2を算出し、車速VSP（出力回転数No）を用いて前記（３）式からモータ／ジェネレータMG1,MG2の目標回転数tN1,tN2を算出する。
【００８４】
ステップＳ１８でEIVTモードが選択されていると判定した場合ステップＳ２２において、EIVTモード用の三次元マップから目標エンジントルクtTeおよび目標エンジン回転数tNeを検索し、この目標エンジン回転数tNeおよび車速VSP（出力回転数No）を用いて前記（５）式からモータ／ジェネレータMG1,MG2の目標回転数tN1,tN2を算出し、目標エンジントルクtTeおよび目標駆動力F（出力トルクTo）を用いて前記（６）式からモータ／ジェネレータMG1の目標トルクtT1を算出すると共に、目標エンジントルクtTeおよび目標トルクtT1並びに目標駆動力F（出力トルクTo）を用いて前記（６）式からモータ／ジェネレータMG2の目標トルクtT2を算出する。
【００８５】
ステップＳ１９でEIVT-LBモードが選択されていると判定した場合ステップＳ２３において、EIVT-LBモード用の三次元マップから目標エンジントルクtTeおよびモータ／ジェネレータMG1の目標トルクtT1を検索し、車速VSP（出力回転数No）を用いて前記（７）式から目標エンジン回転数tNeおよびモータ／ジェネレータMG1,MG2の目標回転数tN1,tN2を算出すると共に、目標エンジントルクtTeおよび目標トルクtT1並びに目標駆動力F（出力トルクTo）を用いて前記（８）式からモータ／ジェネレータMG2の目標トルクtT2を算出する。
【００８６】
なお、以上のようにしてエンジンENGの目標トルクtTeおよび目標回転数tNeと、モータ／ジェネレータMG1,MG2の目標トルクtT1，tT2および目標回転数tN1,tN2を算出した後は、ステップＳ24において現在の選択モードmodeを前記したmode（直前）にセットし、制御を終了する。
ハイブリッドコントローラ２１は、上記したエンジンENGの目標トルクtTeおよび目標回転数tNeに関する指令と、選択モードを実現するためのエンジンクラッチ９のON,OFF（締結、解放）指令およびローブレーキL/BのON,OFF（締結、解放）指令とをエンジンコントローラ２２に供給し、また、上記したモータ／ジェネレータMG1,MG2の目標トルクtT1，tT2および目標回転数tN1,tN2に関する指令信号をモータコントローラ２３に供給し、これらによりハイブリッド変速機を目標駆動力Ｆが最低燃費で達せされるような態様で変速制御することができる。
【００８７】
以上のような図示した実施の形態によれば、動作点ごとに燃料消費率ができるだけ低くなるようEIVT-LBモードおよびEIVTモード間の切り替え、EV-LBモードおよびEVモード間での切り替え、EV-LBモード、EVモード、およびEIVTモード間での切り替えを含む全てのモード切り替えを行うようにしたから、
モード切り替えが燃料消費率をできるだけ小さくする態様で行われることとなり、主動力源の燃費を良くすることができる。
【００８８】
また、EIVT-LBモードでのバッテリ消費電力およびEIVTモードでのバッテリ消費電力間における消費電力差が設定値未満となる任意領域Z(EIVT-LB,EIVT)においては全体的にEIVT-LBモードまたはEIVTモードで動作させることから、
EIVT-LBモードまたはEIVTモードのどちらを選択しても、燃料消費を低くするという意味において大差がない任意領域Z(EIVT-LB,EIVT)でローブレーキの締結・解放切り替え頻度が少なくなるようなモード選択方式とすることができ、前記した狭いモード領域においてもモード切り替え制御が困難になることがない。
【００８９】
更に、EV-LBモードでのバッテリ消費電力およびEVモードでのバッテリ消費電力間における消費電力差が設定値未満となる任意領域Z(EV-LB,EV)においては全体的にEV-LBモードまたはEVモードで動作させることから、
EV-LBモードまたはEVモードのどちらを選択しても、燃料消費を低くするという意味において大差がない任意領域Z(EV-LB,EV)でローブレーキの締結・解放切り替え頻度が少なくなるようなモード選択方式とすることができ、前記した狭いモード領域においてもモード切り替え制御が困難になることがない。
【００９０】
また、EV-LBモードでのバッテリ消費電力およびEVモードでのバッテリ消費電力間における消費電力差、EV-LBモードでのバッテリ消費電力およびEIVTモードでのバッテリ消費電力間における消費電力差、並びに、EVモードでのバッテリ消費電力およびEIVTモードでのバッテリ消費電力間における消費電力差が設定値未満となる任意領域Z(EV-LB,EV,EIVT)においては全体的にEV-LBモードまたはEVモード或いはEIVTモードで動作させることから、
EV-LBモード、EVモード、EIVTモードのどれを選択しても、燃料消費を低くするという意味において大差がない領域（任意領域）でローブレーキの締結・解放切り替え、および主動力源からの入力の断接切り替えの頻度が少なくなるようなモード選択方式とすることができ、前記した狭いモード領域においてもモード切り替え制御が困難になることがない。
【００９１】
図示する実施の形態においては更に、任意領域Z(EIVT-LB,EIVT)で上記のごとくEIVT-LBモードまたはEIVTモードを選択するに際し、
要求駆動力Ｆ、車速VSP、およびバッテリ蓄電状態SOC（持ち出し可能電力）により規定される動作点が任意領域Z(EIVT-LB,EIVT)に入る直前におけるモードmode（直前）に応じて決定し、
(a)直前動作点でのモードmode（直前）がローブレーキL/Bの締結を要求するモードである場合、任意領域Z(EIVT-LB,EIVT)で同じくローブレーキL/Bの締結を要求するEIVT-LBモードを選択するようにし、
(b)直前動作点でのモードmode（直前）がローブレーキL/Bの解放を要求するモードである場合、任意領域Z(EIVT-LB,EIVT)で同じくローブレーキL/Bの解放を要求するEIVTモードを選択するようにしたから、
任意領域Z(EIVT-LB,EIVT)に入る時にローブレーキL/Bの締結・解放切り替えが不要な変速制御とすることができる。
【００９２】
図示する実施の形態においては更に、任意領域Z(EIVT-LB,EIVT) で上記のごとくEIVT-LBモードまたはEIVTモードを選択するに際し、
要求駆動力Ｆ、車速VSP、およびバッテリ蓄電状態SOC（持ち出し可能電力）により規定される動作点が任意領域Z(EIVT-LB,EIVT)に入る直前におけるモードmode（直前）だけでなく、この任意領域Z(EIVT-LB,EIVT)に入った後の任意領域継続時間ｔ１に応じて決定し、
(a)直前動作点でのモードmode（直前）がローブレーキL/Bの締結を要求するモードである場合、任意領域Z(EIVT-LB,EIVT)で同じくローブレーキL/Bの締結を要求するEIVT-LBモードを選択するようにし、
(b)直前動作点でのモードmode（直前）がローブレーキL/Bの解放を要求するモードである場合、任意領域Z(EIVT-LB,EIVT)で同じくローブレーキL/Bの解放を要求するEIVTモードを選択するようにし、
任意領域継続時間ｔ１が設定時間Ｔ以上になるとき、上記(a)または(b)により選択したモードから最低燃費用の好適モードマップにより求めたEIVT-LBモードまたはEIVTモードに切り替えるようにしたため、
任意領域Z(EIVT-LB,EIVT)に入る時にローブレーキL/Bの締結・解放切り替えが不要な変速制御とすることができると共に、ｔ１≧Ｔになった時のモード切り替えにより燃費の向上を果たすことができる。
【００９３】
図示する実施の形態においては更に、任意領域Z(EV-LB,EV)で前記のごとくEV-LBモードまたはEVモードを選択するに際しても、任意領域Z(EIVT-LB,EIVT)での上記したモード選択と同様な考え方により、任意領域Z(EV-LB,EV)に入る直前のモードmode（直前）に応じ、または、これと、任意領域Z(EV-LB,EV)に入った後の任意領域継続時間ｔ２に応じてEV-LBモードまたはEVモードを選択するから、任意領域Z(EV-LB,EV) に入る時にローブレーキL/Bの締結・解放切り替えが不要な変速制御とすることができると共に、任意領域継続時間ｔ２が設定時間Ｔ２以上にになった時のモード切り替えにより燃費の向上を果たすことができる。
【００９４】
図示する実施の形態においては更に、任意領域Z(EV-LB,EV,EIVT)で前記のごとくEV-LBモードまたはEVモード或いはEIVTモードを選択するに際し、
要求駆動力Ｆ、車速VSP、およびバッテリ蓄電状態SOC（持ち出し可能電力）により規定される動作点が任意領域Z(EV-LB,EV,EIVT)に入る直前におけるモードmode（直前）に応じて決定し、
(a)直前動作点でのモードmode（直前）がローブレーキL/Bの締結を要求するモードである場合、任意領域Z(EV-LB,EV,EIVT)で同じくローブレーキL/Bの締結を要求するEV-LBモードを選択するようにし、
(b)直前動作点でのモードmode（直前）がローブレーキL/Bの解放を要求するEIVTモードである場合、任意領域Z(EV-LB,EV,EIVT)で同じくローブレーキL/Bの解放を要求するEIVTモードを選択するようにし、
(c)直前動作点でのモードmode（直前）がローブレーキL/Bの解放を要求するEVモードである場合、任意領域でEVモードを選択するようようにしたから、
任意領域Z(EV-LB,EV,EIVT)に入る時にローブレーキL/Bの締結・解放切り替えが不要な変速制御にし得ると共に直前モードでローブレーキL/Bを解放している場合はモードの切り替えすら不要な変速とすることができる。
【００９５】
図示する実施の形態においては更に、任意領域Z(EV-LB,EV,EIVT) で上記のごとくEV-LBモードまたはEVモード或いはEIVTモードを選択するに際し、
要求駆動力Ｆ、車速VSP、およびバッテリ蓄電状態SOC（持ち出し可能電力）により規定される動作点が任意領域Z(EIVT-LB,EIVT)に入る直前におけるモードmode（直前）だけでなく、この任意領域Z(EV-LB,EV,EIVT)に入った後の任意領域継続時間ｔ３に応じて決定し、
(a)直前動作点でのモードmode（直前）がローブレーキL/Bの締結を要求するモードである場合、任意領域Z(EV-LB,EV,EIVT)で同じくローブレーキL/Bの締結を要求するEV-LBモードを選択するようにし、
(b)直前動作点でのモードmode（直前）がローブレーキL/Bの解放を要求するEIVTモードである場合、任意領域Z(EV-LB,EV,EIVT)で同じくローブレーキL/Bの解放を要求するEIVTモードを選択するようにし、
(c)直前動作点でのモードmode（直前）がローブレーキL/Bの解放を要求するEVモードである場合、任意領域Z(EV-LB,EV,EIVT)で同じくローブレーキL/Bの解放を要求するEVモードを選択するようにし、
任意領域継続時間ｔ３が設定時間Ｔ３以上になるとき、上記(a)または(b)或いは（c）により選択したモードから最低燃費用の好適モードマップにより求めたEV-LBモードまたはEVモードに切り替えるようにしたため、
任意領域Z(EV-LB,EV,EIVT)に入る時にローブレーキL/Bの締結・解放切り替えが不要な変速制御とすることができると共に、ｔ３≧Ｔ３になった時のモード切り替えにより燃費の向上を果たすことができる。
【図面の簡単な説明】
【図１】  本発明による変速制御装置を適用し得るハイブリッド変速機を例示し、
（ａ）は、その線図的構成図、
（ｂ）は、その共線図である。
【図２】  同ハイブリッド変速機におけるエンジンクラッチおよびローブレーキL/Bの締結、解放の組み合わせと、制御モードとの関係を示す説明図である。
【図３】  同ハイブリッド変速機の制御システムを示すブロック線図である。
【図４】  同制御システムにおけるハイブリッドコントローラが実行する変速制御プログラムのフローチャートである。
【図５】  EIVT-LBモードとEIVTモードとの間での最低燃費用のモード切り替え制御プログラムを示すフローチャートである。
【図６】  EIVT-LBモードおよびEIVTモード間の任意領域でのモード選択処理に関する制御プログラムの第１例を示すフローチャートである。
【図７】  EIVT-LBモードおよびEIVTモード間の任意領域でのモード選択処理に関する制御プログラムの第２例を示すフローチャートである。
【図８】  EIVT-LBモードおよびEIVTモード間の任意領域でのモード選択処理に関する制御プログラムの第３例を示すフローチャートである。
【図９】  EIVT-LBモードおよびEIVTモード間の任意領域でのモード選択処理に関する制御プログラムの第４例を示すフローチャートである。
【図１０】  EV-LBモードおよびEVモード間の任意領域でのモード選択処理に関する制御プログラムの第１例を示すフローチャートである。
【図１１】  EV-LBモードおよびEVモード間の任意領域でのモード選択処理に関する制御プログラムの第２例を示すフローチャートである。
【図１２】  EV-LBモードおよびEVモード間の任意領域でのモード選択処理に関する制御プログラムの第３例を示すフローチャートである。
【図１３】  EV-LBモードおよびEVモード間の任意領域でのモード選択処理に関する制御プログラムの第４例を示すフローチャートである。
【図１４】  EV-LBモード、EVモードおよびEIVTモード間の任意領域でのモード選択処理に関する制御プログラムの第１例を示すフローチャートである。
【図１５】  EV-LBモード、EVモードおよびEIVTモード間の任意領域でのモード選択処理に関する制御プログラムの第２例を示すフローチャートである。
【図１６】  EV-LBモード、EVモードおよびEIVTモード間の任意領域でのモード選択処理に関する制御プログラムの第３例を示すフローチャートである。
【図１７】  EV-LBモード、EVモードおよびEIVTモード間の任意領域でのモード選択処理に関する制御プログラムの第４例を示すフローチャートである。
【図１８】  EV-LBモード、EVモードおよびEIVTモード間の任意領域でのモード選択処理に関する制御プログラムの第５例を示すフローチャートである。
【図１９】  ハイブリッド変速機の動作点を示す三次元マップを示す線図である。
【図２０】  EIVT-LBモード領域を示す領域線図である。
【図２１】  EIVTモード領域を示す領域線図である。
【図２２】  EV-LBモード領域を示す領域線図である。
【図２３】  EVモード領域を示す領域線図である。
【図２４】  EIVT-LBモードでのバッテリ消費電力およびEIVTモードでのバッテリ消費電力を示す特性線図である。
【図２５】  EIVT-LBモードでのバッテリ消費電力およびEIVTモードでのバッテリ消費電力の大きい方を選択して求めたセレクトハイ消費電力を示す特性線図である。
【図２６】  EIVT-LBモードでの燃料消費率およびEIVTモードでの燃料消費率を示す特性線図である。
【図２７】  図２５のセレクトハイ消費電力から求めた燃料効率EFFの変化特性を示す特性線図である。
【図２８】  EIVT-LBモードおよびEIVTモードでのセレクトハイ消費電力と燃料効率EFFとの関係を示す線図である。
【図２９】  バッテリ蓄電状態SOC（持ち出し可能電力）が低い時における最低燃費用のモード領域を例示する領域線図である。
【図３０】  バッテリ蓄電状態SOC（持ち出し可能電力）が中程度の時における最低燃費用のモード領域を例示する領域線図である。
【図３１】  バッテリ蓄電状態SOC（持ち出し可能電力）が高い時における最低燃費用のモード領域を例示する領域線図である。
【図３２】  EIVT-LBモードおよびEIVTモード間で、領域ごとに燃費上の差がどの程度であるかを、バッテリ蓄電状態SOC（持ち出し可能電力）が低い場合について示す領域線図である。
【図３３】  モード間で燃費上の差がほとんどない任意領域を、バッテリ蓄電状態SOC（持ち出し可能電力）が低い場合について示す領域線図である。
【図３４】  モード間で燃費上の差がほとんどない任意領域を、バッテリ蓄電状態SOC（持ち出し可能電力）が中程度の場合について示す領域線図である。
【図３５】  モード間で燃費上の差がほとんどない任意領域を、バッテリ蓄電状態SOC（持ち出し可能電力）が高い場合について示す領域線図である。
【図３６】  図３３の領域線図において、EIVTモード領域内の動作点が任意領域内に入った後ここから出る場合につき、任意領域でのモード選択作用を説明するのに用いた領域線図である。
【図３７】  図３３の領域線図において、EIVT-LBモード領域内の動作点が任意領域内に入った後ここから出る場合につき、任意領域でのモード選択作用を説明するのに用いた領域線図である。
【図３８】  図３３の領域線図において、EIVTモード領域内の動作点が任意領域内に入った後ここにとどまる場合につき、任意領域でのモード選択作用を説明するのに用いた領域線図である。
【図３９】  図３３の領域線図において、EIVTモード領域内の動作点が任意領域内に入った後ここから出ることなく任意領域内で移動した場合の動作点移動軌跡を示す領域線図である。
【図４０】  図３９のように動作点が任意領域内で移動した場合のモード選択作用を説明するのに用いた領域線図である。
【符号の説明】
１  変速機ケース
２  ラビニョオ型プラネタリギヤセット（差動装置）
３  複合電流２層モータ
ENG  エンジン（主動力源）
４  第１のシングルピニオン遊星歯車組
５  第２のシングルピニオン遊星歯車組
６  カウンターシャフト
７  ディファレンシャルギヤ装置
８  駆動車輪
９  エンジンクラッチ
14  出力歯車
MG1  第１モータ／ジェネレータ
MG2  第２モータ／ジェネレータ
S1  サンギヤ
S2  サンギヤ
P1  ショートピニオン
P2  ロングピニオン
R1  リングギヤ
R2  リングギヤ
C  キャリア
L/B  ローブレーキ
21  ハイブリッドコントローラ
22  エンジンコントローラ
23  モータコントローラ
24  インバータ
25  バッテリ
26  アクセル開度センサ
27  車速センサ
28  エンジン回転センサ
【図１】
0003941739.tif 000002
【図２】
0003941739.tif 000003
【図３】
0003941739.tif 000004
【図４】
0003941739.tif 000005
【図５】
0003941739.tif 000006
【図６】
0003941739.tif 000007
【図７】
0003941739.tif 000008
【図８】
0003941739.tif 000009
【図９】
0003941739.tif 000010
【図１０】
0003941739.tif 000011
【図１１】
0003941739.tif 000012
【図１２】
0003941739.tif 000013
【図１３】
0003941739.tif 000014
【図１４】
0003941739.tif 000015
【図１５】
0003941739.tif 000016
【図１６】
0003941739.tif 000017
【図１７】
0003941739.tif 000018
【図１８】
0003941739.tif 000019
【図１９】
0003941739.tif 000020
【図２０】
0003941739.tif 000021
【図２１】
0003941739.tif 000022
【図２２】
0003941739.tif 000023
【図２３】
0003941739.tif 000024
【図２４】
0003941739.tif 000025
【図２５】
0003941739.tif 000026
【図２６】
0003941739.tif 000027
【図２７】
0003941739.tif 000028
【図２８】
0003941739.tif 000029
【図２９】
0003941739.tif 000030
【図３０】
0003941739.tif 000031
【図３１】
0003941739.tif 000032
【図３２】
0003941739.tif 000033
【図３３】
0003941739.tif 000034
【図３４】
0003941739.tif 000035
【図３５】
0003941739.tif 000036
【図３６】
0003941739.tif 000037
【図３７】
0003941739.tif 000038
【図３８】
0003941739.tif 000039
【図３９】
0003941739.tif 000040
【図４０】
0003941739.tif 000041